【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
高次アンビソニックオーディオ信号を表すビットストリームを復号するように構成されたデバイスであって、
前記ビットストリームを記憶するように構成されたメモリと、
前記ビットストリームにおいて指定されたレイヤの数の指示を前記ビットストリームから取得することと、
前記ビットストリームにおいて指定されたトランスポートチャネルの数の指示を前記ビットストリームから取得することと、
前記ビットストリームにおいて指定されたレイヤの前記数の前記指示、および前記ビットストリームにおいて指定されたトランスポートチャネルの前記数の前記指示に基づいて、前記ビットストリームの前記レイヤを取得することと、
を行うように構成された１つまたは複数のプロセッサと、
を備えるデバイス。
【請求項２】
前記１つまたは複数のプロセッサは、前記レイヤのうちの少なくとも１つに関する、前記ビットストリームにおいて指定されたフォアグラウンドチャネルの数の指示を取得するように構成され、
前記１つまたは複数のプロセッサは、フォアグラウンドチャネルの前記数の前記指示に基づいて、前記ビットストリームの前記レイヤのうちの前記少なくとも１つに関する前記フォアグラウンドチャネルを取得するように構成され、
フォアグラウンドチャネルは、音場の支配的成分に対応する、
請求項１に記載のデバイス。
【請求項３】
前記１つまたは複数のプロセッサは、前記レイヤのうちの少なくとも１つに関する、前記ビットストリームにおいて指定されたバックグラウンドチャネルの数の指示を取得するように構成され、
前記１つまたは複数のプロセッサは、バックグラウンドチャネルの前記数の前記指示に基づいて、前記ビットストリームの前記レイヤのうちの前記少なくとも１つに関する前記バックグラウンドチャネルを取得するように構成され、
バックグラウンドチャネルは、音場のアンビエント成分に対応する、
請求項１に記載のデバイス。
【請求項４】
前記レイヤの前記数の前記指示は、レイヤの前記数が２であることを示し、
前記２つのレイヤは、ベースレイヤとエンハンスメントレイヤとを備え、
前記１つまたは複数のプロセッサは、
ｉ）フォアグラウンドチャネルの数が、前記ベースレイヤに関して０、前記エンハンスメントレイヤに関して２であることの指示、または
ｉｉ）バックグラウンドチャネルの数が、前記ベースレイヤに関して４、前記エンハンスメントレイヤに関して０であることの指示、
を取得するように構成され、
バックグラウンドチャネルは、音場のアンビエント成分に対応し、フォアグラウンドチャネルは、音場の支配的成分に対応する、
請求項１に記載のデバイス。
【請求項５】
前記レイヤの前記数の前記指示は、レイヤの前記数が３であることを示し、
前記３つのレイヤは、ベースレイヤと、第１のエンハンスメントレイヤと、第２のエンハンスメントレイヤとを備え、
前記１つまたは複数のプロセッサは、
ｉ）フォアグラウンドチャネルの数が、前記ベースレイヤに関して０、前記第１のエンハンスメントレイヤに関して２、前記第３のエンハンスメントレイヤに関して２であることの指示、または
ｉｉ）バックグラウンドチャネルの数が、前記ベースレイヤに関して２、前記第１のエンハンスメントレイヤに関して０、前記第３のエンハンスメントレイヤに関して０であることの指示、または
ｉｉｉ）フォアグラウンドチャネルの数が、前記ベースレイヤに関して２、第１のエンハンスメントレイヤに関して２、第３のエンハンスメントレイヤに関して２であることの指示、または
ｉｖ）バックグラウンドチャネルの前記数が、前記ベースレイヤに関して０、前記第１のエンハンスメントレイヤに関して０、前記第３のエンハンスメントレイヤに関して０であることを示すバックグラウンドシンタックス要素、
を取得するように構成され、
フォアグラウンドチャネルは、音場の支配的成分に対応し、バックグラウンドチャネルは、音場のアンビエント成分に対応する、
請求項１に記載のデバイス。
【請求項６】
レイヤの前記数の前記指示は、前記ビットストリームの以前のフレームにおけるレイヤの数の指示を備え、
前記１つまたは複数のプロセッサは、
現在のフレームにおいて前記ビットストリームのレイヤの数が、前記以前のフレームにおける前記ビットストリームのレイヤの前記数と比較して、変化しているかどうかの指示を取得することと、
前記現在のフレームにおいて前記ビットストリームのレイヤの前記数が変化しているかどうかの前記指示に基づいて、前記現在のフレームにおける前記ビットストリームのレイヤの前記数を取得することと、
を行うようにさらに構成される、請求項１に記載のデバイス。
【請求項７】
前記１つまたは複数のプロセッサは、前記現在のフレームにおいて前記ビットストリームのレイヤの前記数が、前記以前のフレームにおける前記ビットストリームのレイヤの前記数と比較して、変化していないことを前記指示が示すときに、前記現在のフレームにおける前記ビットストリームのレイヤの前記数を、前記以前のフレームにおける前記ビットストリームのレイヤの前記数と同じものであると決定するようにさらに構成される、
請求項６に記載のデバイス。
【請求項８】
前記１つまたは複数のプロセッサは、前記現在のフレームにおいて前記ビットストリームのレイヤの前記数が、前記以前のフレームにおける前記ビットストリームのレイヤの前記数と比較して、変化していないことを前記指示が示すときに、前記現在のフレームに関する前記レイヤのうちの１つまたは複数における成分の現在の数が、前記以前のフレームの前記レイヤのうちの１つまたは複数における成分の以前の数と同じであることの指示を取得するようにさらに構成される、
請求項６に記載のデバイス。
【請求項９】
レイヤの前記数の前記指示は、前記ビットストリームにおいて３つのレイヤが指定されていることを示し、
前記１つまたは複数のプロセッサは、
ステレオチャネル再生をもたらす前記高次アンビソニックオーディオ信号のバックグラウンド成分を示す前記ビットストリームの前記レイヤのうちの第１のものを取得することと、
１つまたは複数の水平面上に配置された３つ以上のスピーカーによる３次元再生をもたらす前記高次アンビソニックオーディオ信号の前記バックグラウンド成分を示す前記ビットストリームの前記レイヤのうちの第２のものを取得することと、
前記高次アンビソニックオーディオ信号のフォアグラウンド成分を示す前記ビットストリームの前記レイヤのうちの第３のものを取得することと、
を行うように構成される、請求項１に記載のデバイス。
【請求項１０】
レイヤの前記数の前記指示は、前記ビットストリームにおいて３つのレイヤが指定されていることを示し、
前記１つまたは複数のプロセッサは、
モノチャネル再生をもたらす前記高次アンビソニックオーディオ信号のバックグラウンド成分を示す前記ビットストリームの前記レイヤのうちの第１のものを取得することと、  １つまたは複数の水平面上に配置された３つ以上のスピーカーによる３次元再生をもたらす前記高次アンビソニックオーディオ信号の前記バックグラウンド成分を示す前記ビットストリームの前記レイヤのうちの第２のものを取得することと、
前記高次アンビソニックオーディオ信号のフォアグラウンド成分を示す前記ビットストリームの前記レイヤのうちの第３のものを取得することと、
を行うように構成される、請求項１に記載のデバイス。
【請求項１１】
レイヤの前記数の前記指示は、前記ビットストリームにおいて２つのレイヤが指定されていることを示し、
前記１つまたは複数のプロセッサは、
ステレオチャネル再生をもたらす前記高次アンビソニックオーディオ信号のバックグラウンド成分を示す前記ビットストリームの前記レイヤのうちの第１のものを取得することと、
単一の水平面上に配置された３つ以上のスピーカーによる水平方向マルチチャネル再生をもたらす前記高次アンビソニックオーディオ信号の前記バックグラウンド成分を示す前記ビットストリームの前記レイヤのうちの第２のものを取得することと、
を行うように構成される、請求項１に記載のデバイス。
【請求項１２】
前記高次アンビソニックオーディオ信号に基づいて音場を再生するように構成されたラウドスピーカーをさらに備える、請求項１に記載のデバイス。
【請求項１３】
高次アンビソニックオーディオ信号を表すビットストリームを復号する方法であって、  前記ビットストリームにおいて指定されたレイヤの数の指示を、前記ビットストリームから取得することと、
前記ビットストリームにおいて指定されたトランスポートチャネルの数の指示を取得することと、
前記ビットストリームにおいて指定されたレイヤの前記数の前記指示、および前記ビットストリームにおいて指定されたトランスポートチャネルの前記数の前記指示に基づいて、前記ビットストリームの前記レイヤを取得することと、
を備える方法。
【請求項１４】
前記ビットストリームの前記レイヤは、ベースレイヤとエンハンスメントレイヤとを備え、
前記方法は、前記ビットストリームの符号化中に無相関化変換が適用されたことの指示を前記ビットストリームから取得したことに応答して、前記高次アンビソニックオーディオ信号のバックグラウンド成分の相関化された表現を取得するために、前記ベースレイヤの１つまたは複数のチャネルに関して相関化変換を適用することをさらに備える、請求項１３に記載の方法。
【請求項１５】
実行されると、１つまたは複数のプロセッサに、請求項１３または請求項１４による方法を実行させる命令を記憶した非一時的コンピュータ可読記憶媒体。